(57)【要約】【課題】  表示部と操作部とが一体に折り畳み可能に構成されるとともに独立して駆動可能な左右チャンネル用スピーカを備える構成において、閉状態においても開状態における場合と同様に画像に同期したステレオ音を出力して、自然な聴感を得る。【解決手段】  開示される折り畳み式携帯電話１０は、開閉検出スイッチ６が閉状態を検出したときは、左チャンネル用ＤＡコンバータ９Ｌの出力を左チャンネル用増幅器１１Ｌ及び切換スイッチ１２の第２の可動接片１２Ｂを通じて右チャンネル用スピーカ７Ｒに接続する経路が確保され、かつ右チャンネル用ＤＡコンバータ９Ｒの出力を右チャンネル用増幅器１１Ｒ及び切換スイッチ１２の第１の可動接片１２Ａを通じて左チャンネル用スピーカ７Ｌに接続する経路が確保されるように切換スイッチ１２の切換動作が切換制御部８により制御される。【選択図】図１
2005236811.tif 000002
【特許請求の範囲】
【請求項１】
文字情報又は画像情報を表示する表示部と、複数の情報入力用キーが配置されている操作部とが一体に折り畳み可能に構成されるとともに独立して駆動可能な左右チャンネル用スピーカを備え、折り畳まれた状態でも前記左右チャンネル用スピーカを駆動できるように構成されて成る折り畳み式電子機器であって、
音源データを格納するメモリ部と、
電子機器が折り畳まれていない開状態あるいは折り畳まれている閉状態を検出する開閉検出スイッチと、
前記音源データを前記左右チャンネル用スピーカにそれぞれ出力する経路を切り換える切換スイッチと、
前記開閉検出スイッチの検出結果に応じて前記切換スイッチの切換動作を制御する切換制御部と、
を備えることを特徴とする折り畳み式電子機器。
【請求項２】
前記メモリ部の前記音源データをそれぞれアナログ変換する左チャンネル用ＤＡコンバータ及び右チャンネル用ＤＡコンバータと、該左右チャンネル用ＤＡコンバータの出力をそれぞれ増幅する左右チャンネル用増幅器と、
を備えることを特徴とする請求項１記載の折り畳み式電子機器。
【請求項３】
前記切換スイッチが前記左右チャンネル用増幅器に接続されることを特徴とする請求項２記載の折り畳み式電子機器。
【請求項４】
前記切換スイッチが前記左右チャンネル用ＤＡコンバータに接続されることを特徴とする請求項２記載の折り畳み式電子機器。
【請求項５】
前記切換スイッチが、前記左チャンネル用スピーカに常時接続された第１の可動接片と、前記右チャンネル用スピーカに常時接続された第２の可動接片とを有することを特徴とする請求項１乃至４のいずれか一に記載の折り畳み式電子機器。
【請求項６】
前記切換制御部は、前記開閉検出スイッチが前記開状態を検出したときは、前記左チャンネル用ＤＡコンバータの出力を前記第１の可動接片を通じて前記左チャンネル用スピーカに接続する経路となるように、かつ前記右チャンネル用ＤＡコンバータの出力を前記第２の可動接片を通じて前記右チャンネル用スピーカに接続する経路となるように、前記切換スイッチの前記切換動作を制御することを特徴とする請求項５記載の折り畳み式電子機器。
【請求項７】
前記切換制御部は、前記開閉検出スイッチが前記閉状態を検出したときは、前記左チャンネル用ＤＡコンバータの出力を前記第２の可動接片を通じて前記右チャンネル用スピーカに接続する経路となるように、かつ前記右チャンネル用ＤＡコンバータの出力を前記第１の可動接片を通じて前記左チャンネル用スピーカに接続する経路となるように前記切換スイッチの前記切換動作を制御することを特徴とする請求項５記載の折り畳み式電子機器。
【請求項８】
前記左右チャンネル用増幅器を、ＢＴＬ駆動増幅器により構成することを特徴とする請求項２乃至７のいずれか一に記載の折り畳み式電子機器。
【請求項９】
前記左チャンネル用ＢＴＬ駆動増幅器の一対の増幅器のいずれか一方に、及び前記右チャンネル用ＢＴＬ駆動増幅器の一対の増幅器のいずれか一方にそれぞれ位相反転回路を接続することを特徴とする請求項８記載の折り畳み式電子機器。
【発明の詳細な説明】
【技術分野】
【０００１】
この発明は、折り畳み式電子機器に係り、詳しくは、独立して駆動可能な左右チャンネル用スピーカを備える折り畳み式電子機器に関する。
【背景技術】
【０００２】
例えば携帯電話のような携帯用電子機器（以下、単に電子機器とも称する）は、携帯性の向上のためにほとんどのタイプのものが、文字情報又は画像情報を表示する表示部と、情報入力用キー群が配置されている操作部とが一体に折り畳み可能に構成されている。また、最近の折り畳み式携帯電話は、例えば特許文献１に開示されているように、電話機能以外にも音楽機能を有するように構成したものが提供されている。さらに、音楽機能を有するものにおいては、独立して駆動可能な左右チャンネル用スピーカを備えて、ステレオ音を出力することにより音響性能の向上を図るように構成されたものが普及している。このような構成の折り畳み式携帯電話では折り畳まれていない開状態では勿論のこと、折り畳まれている閉状態においてもそれぞれ左右チャンネル用スピーカを駆動することにより、表示部の画像を見ながらステレオ音を楽しめるように構成されている。
【０００３】
図７は、上述のような独立して駆動可能な左右チャンネル用スピーカを備える従来の折り畳み式携帯電話の構成を示すフロック図である。同折り畳み式携帯電話５０は、同図に示すように、伸縮可能な送受信用アンテナ５１を通じて無線信号の送受を行う無線送受信部５２と、同携帯電話５０の主要部を構成する制御部５３と、無線送受信部５２によってダウンロードされた外部音源データ、内蔵音源データ等を音源データ５４として格納するメモリ部５５と、同携帯電話５０の開状態あるいは閉状態を検出する開閉検出スイッチ５６と、独立して駆動可能な左（Ｌ）チャンネル用スピーカ５７Ｌ及び右（Ｒ）チャンネル用スピーカ５７Ｒとを備えている。
【０００４】
また、制御部５３は、開閉検出スイッチ５６の検出結果に応じて後述の切換スイッチの切換動作を制御するＣＰＵ（Central Processing Unit:中央演算処理装置）から成る切換制御部５８と、メモリ部５５の音源データ５４をそれぞれアナログ変換する左チャンネル用ＤＡ（Digital to Analog Converter）コンバータ５９Ｌ及び右チャンネル用ＤＡコンバータ５９Ｒと、左右チャンネル用ＤＡコンバータ５９Ｌ、５９Ｒの出力をそれぞれ増幅する左チャンネル用増幅器６０Ｌ及び右チャンネル用増幅器６０Ｒとから構成されている。なお、符号６１は電源に接続されるプルアップ抵抗、６２Ｌ、６２Ｒはそれぞれコンデンサである。
【０００５】
また、図８は、同様に独立して駆動可能な左右チャンネル用スピーカを備える他の従来例を示すブロック図で、左右チャンネル用増幅器をＢＴＬ（Balanced Transformerless Amplifier）駆動増幅器により構成した例を示している。同折り畳み式携帯電話７０は、同図に示すように、左チャンネル用ＤＡコンバータ５９Ｌの出力を増幅し第１及び第２の増幅器７１Ａ、７２Ｂから構成される左チャンネル用ＢＴＬ駆動増幅器７２Ｌと、右チャンネル用ＤＡコンバータ５９Ｒの出力を増幅し第１及び第２の増幅器７４Ａ、７４Ｂから構成される右チャンネル用ＢＴＬ駆動増幅器７２Ｒとを備えている。なお、左チャンネル用ＢＴＬ駆動増幅器７２Ｌの例えば第２の増幅器７１Ｂに、及び右チャンネル用ＢＴＬ駆動増幅器７２Ｒの例えば第２の増幅器７４Ｂにはそれぞれ位相反転回路７５Ｌ、７５Ｒが接続されている。これ以外は、図７の構成と略同様であるので、図７の構成部分と対応する各部には、同一の番号を付してその説明を省略する。
【０００６】
ところで、図７及び図８の構成の従来の折り畳み式携帯電話５０、７０ではいずれにおいても、開状態と閉状態とでは左右チャンネル用スピーカ５７Ｌ、５７Ｒから出力される音が左右で逆に流れるため、聴感上不自然になるという欠点が生ずる。すなわち、開状態では表示部の画像に同期して左右チャンネル用スピーカ５７Ｌ、５７Ｒからステレオ音が出力されるので、車が走りさるような自然な聴感が得られるので問題ないが、閉状態では左右チャンネル用スピーカ５７Ｌ、５７Ｒの位置が開状態の場合と左右逆になるので、画像に同期しないステレオ音が出力されるようになって、聴感が不自然になるのが避けられなくなる。
【０００７】
そのような聴感上の不自然さを改善するようにした構成したオーディオセットが、例えば特許文献２に開示されている。同オーディオセットは、図９（ａ）に示すように、本体１００に左右チャンネル用スピーカ１０７、１０６をそれぞれ収納する左右スピーカボックス１０３、１０２を前後方向に回動可能に設け、図９（ｂ）に示すように、左右スピーカボックス１０３、１０２の双方が後方へ９０°以上回動したことを検出する角度検出手段を設け、角度検出手段が左右スピーカボックス１０３、１０２の双方が後方へ９０°以上回動したことを示す信号が出力されたときに、左右チャンネル用スピーカ１０７、１０６の駆動信号を入れ替えるように構成されている。
【特許文献１】特開２００１−１７７６０９号公報
【特許文献２】特開２００２−７８０７３号公報
【発明の開示】
【発明が解決しようとする課題】
【０００８】
ところで、特許文献２に開示されているオーディオセットでは、左右チャンネル用スピーカが機械的に所望の角度以上回動したことを検出して左右チャンネル用スピーカの駆動信号を入れ替えるように構成されているので、角度検出手段を設けて駆動信号を制御しなければならないため制御が複雑になるだけでなく、左右チャンネル用スピーカをそれぞれ収納する左右スピーカボックスを必要としているので、折り畳み式携帯電話のように小型、軽量化等の携帯性に優れた条件が要求されている折り畳み式電子機器に対して応用するのは困難である、という問題がある。
すなわち、特許文献２に記載されているオーディオセットでは、図９（ａ）、（ｂ）に示すように、左右チャンネル用スピーカ１０７、１０６をそれぞれ収納する左右スピーカボックス１０３、１０２を、いわゆる観音開きに回動させる場合に、左右スピーカボックス１０３、１０２の双方が本体１００の後方へ９０°以上回動したことを角度検出手段により検出して左右チャンネル用スピーカ１０７、１０６の駆動信号を入れ替えるように構成されているので、左右スピーカボックス１０３、１０２が本体１００の後方へ９０°以上回動したことを検出するために角度検出手段を設ける必要があり、また、左右スピーカボックス１０３、１０２が９０°以上回動した場合のみ左右チャンネル用スピーカ１０７、１０６の駆動信号を入れ替えるので制御が複雑になる。
【０００９】
また、特許文献２に記載されているオーディオセットでは、左右チャンネル用スピーカ１０７、１０６をそれぞれ収納する左右スピーカボックス１０３、１０２を備える小型、軽量化等の携帯性が要求されない電子機器を対象にしており、折り畳み式携帯電話のように小型、軽量化等の携帯性に優れた条件が要求される電子機器の場合には、左右チャンネル用スピーカ１０７、１０６をそれぞれ収納する左右スピーカボックス１０３、１０２を備えること、あるいは左右スピーカボックス１０３、１０２を観音開きに回動するようなことは応用困難である。
【００１０】
この発明は、上述の事情に鑑みてなされたもので、表示部と操作部とが一体に折り畳み可能に構成されるとともに独立して駆動可能な左右チャンネル用スピーカを備える構成において、閉状態においても開状態における場合と同様に画像に同期したステレオ音を出力して、自然な聴感を得ることができるようにした折り畳み式電子機器を提供することを目的としている。
【課題を解決するための手段】
【００１１】
上記課題を解決するために、請求項１記載の発明は、文字情報又は画像情報を表示する表示部と、複数の情報入力用キーが配置されている操作部とが一体に折り畳み可能に構成されるとともに独立して駆動可能な左右チャンネル用スピーカを備え、折り畳まれた状態でも上記左右チャンネル用スピーカを駆動できるように構成されて成る折り畳み式電子機器に係り、音源データを格納するメモリ部と、電子機器が折り畳まれていない開状態あるいは折り畳まれている閉状態を検出する開閉検出スイッチと、上記音源データを上記左右チャンネル用スピーカにそれぞれ出力する経路を切り換える切換スイッチと、上記開閉検出スイッチの検出結果に応じて上記切換スイッチの切換動作を制御する切換制御部とを備えることを特徴としている。
【００１２】
また、請求項２記載の発明は、請求項１記載の折り畳み式電子機器に係り、上記メモリ部の上記音源データをそれぞれアナログ変換する左チャンネル用ＤＡコンバータ及び右チャンネル用ＤＡコンバータと、該左右チャンネル用ＤＡコンバータの出力をそれぞれ増幅する左右チャンネル用増幅器とを備えることを特徴としている。
【００１３】
また、請求項３記載の発明は、請求項２記載の折り畳み式電子機器に係り、上記切換スイッチが上記左右チャンネル用増幅器に接続されることを特徴としている。
【００１４】
また、請求項４記載の発明は、請求項２記載の折り畳み式電子機器に係り、上記切換スイッチが上記左右チャンネル用ＤＡコンバータに接続されることを特徴としている。
【００１５】
また、請求項５記載の発明は、請求項１乃至４のいずれか一に記載の折り畳み式電子機器に係り、上記切換スイッチが、上記左チャンネル用スピーカに常時接続された第１の可動接片と、上記右チャンネル用スピーカに常時接続された第２の可動接片とを有することを特徴としている。
【００１６】
また、請求項６記載の発明は、請求項５記載の折り畳み式電子機器に係り、上記切換制御部は、上記開閉検出スイッチが上記開状態を検出したときは、上記左チャンネル用ＤＡコンバータの出力を上記第１の可動接片を通じて上記左チャンネル用スピーカに接続する経路となるように、かつ上記右チャンネル用ＤＡコンバータの出力を上記第２の可動接片を通じて上記右チャンネル用スピーカに接続する経路となるように、上記切換スイッチの上記切換動作を制御することを特徴としている。
【００１７】
また、請求項７記載の発明は、請求項５記載の折り畳み式電子機器に係り、上記切換制御部は、上記開閉検出スイッチが上記閉状態を検出したときは、上記左チャンネル用ＤＡコンバータの出力を上記第２の可動接片を通じて上記右チャンネル用スピーカに接続する経路となるように、かつ上記右チャンネル用ＤＡコンバータの出力を上記第１の可動接片を通じて上記左チャンネル用スピーカに接続する経路となるように上記切換スイッチの上記切換動作を制御することを特徴としている。
【００１８】
また、請求項８記載の発明は、請求項２乃至７のいずれか一に記載の折り畳み式電子機器に係り、上記左右チャンネル用増幅器を、ＢＴＬ駆動増幅器により構成することを特徴としている。
【００１９】
また、請求項９記載の発明は、請求項８記載の折り畳み式電子機器に係り、上記左チャンネル用ＢＴＬ駆動増幅器の一対の増幅器のいずれか一方に、及び上記右チャンネル用ＢＴＬ駆動増幅器の一対の増幅器のいずれか一方にそれぞれ位相反転回路を接続することを特徴としている。
【発明の効果】
【００２０】
この発明の折り畳み式電子機器によれば、開閉検出スイッチが閉状態を検出したときは、左チャンネル用ＤＡコンバータの出力が右チャンネル用スピーカに接続される経路となるように、かつ右チャンネル用ＤＡコンバータの出力が左チャンネル用スピーカに接続される経路となるように切換スイッチの切換動作が切換制御部により制御されるので、開状態と閉状態では左右チャンネル用スピーカの出力が逆に切り換えられる。したがって、表示部と操作部とが一体に折り畳み可能に構成されるとともに独立して駆動可能な左右チャンネル用スピーカを備える構成において、閉状態においても開状態における場合と同様に画像に同期したステレオ音を出力して、自然な聴感を得ることができる。
【発明を実施するための最良の形態】
【００２１】
文字情報又は画像情報を表示する表示部と、複数の情報入力用キーが配置されている操作部とが一体に折り畳み可能に構成されるとともに独立して駆動可能な左右チャンネル用スピーカを備え、折り畳まれた状態でも左右チャンネル用スピーカを駆動できるように構成されて成る折り畳み式電子機器において、音源データを格納するメモリ部と、電子機器が折り畳まれていない開状態あるいは折り畳まれている閉状態を検出する開閉検出スイッチと、音源データを左右チャンネル用スピーカにそれぞれ出力する経路を切り換える切換スイッチと、開閉検出スイッチの検出結果に応じて切換スイッチの切換動作を制御する切換制御部とを備えている。
【実施例１】
【００２２】
図１は、この発明の実施例１である折り畳み式電子機器の構成を示すブロック図、図２は同折り畳み式電子機器の開状態での形態を示す図、図３は同折り畳み式電子機器の閉状態での形態を示す図である。なお、この例では電子機器としては携帯電話に例をとって説明する。
この例の折り畳み式携帯電話１０は、図１に示すように、伸縮可能な送受信用アンテナ１を通じて無線信号の送受を行う無線送受信部２と、同携帯電話１０の主要部を構成する制御部３と、無線送受信部２によってダウンロードされた外部音源データ、内蔵音源データ等を音源データ４として格納するメモリ部５と、同携帯電話１０の開状態あるいは閉状態を検出する開閉検出スイッチ６と、独立して駆動可能な左（Ｌ）チャンネル用スピーカ７Ｌ及び右（Ｒ）チャンネル用スピーカ７Ｒとを備えている。
【００２３】
また、制御部３は、開閉検出スイッチ６の検出結果に応じて後述の切換スイッチの切換動作を制御するＣＰＵから成る切換制御部８と、メモリ部５の音源データ４をそれぞれアナログ変換する左チャンネル用ＤＡコンバータ９Ｌ及び右チャンネル用ＤＡコンバータ９Ｒと、左右チャンネル用ＤＡコンバータ９Ｌ、９Ｒの出力をそれぞれ増幅する左チャンネル用増幅器１１Ｌ及び右チャンネル用増幅器１１Ｒと、切換制御部８により制御されて左右チャンネル用増幅器１１Ｌ、１１Ｒの出力をそれぞれ左チャンネル用スピーカ７Ｌあるいは右チャンネル用スピーカ７Ｒに接続するように切換動作を行う切換スイッチ１２とから構成されている。ここで、切換スイッチ１２は、左チャンネル用スピーカ７Ｌに常時接続された第１の可動接片１２Ａと、右チャンネル用スピーカ７Ｒに常時接続された第２の可動接片１２Ｂとを有している。なお、符号１３は電源に接続されるプルアップ抵抗、１４Ｌ、１４Ｒはそれぞれ左右チャンネル用コンデンサである。
【００２４】
次に、この例の折り畳み式携帯電話１０の動作について説明する。
（１）開状態の場合
開閉検出スイッチ６が開状態を検出すると、これに基づいて切換制御部８は切換スイッチ１２の第１の可動接片１２Ａを左チャンネル用増幅器１１Ｌに接続するとともに、第２の可動接片１２Ｂを右チャンネル用増幅器１１Ｒに接続するような切換動作が行われるように制御する。この結果、左チャンネル用ＤＡコンバータ９Ｌの出力を左チャンネル用増幅器１１Ｌ及び切換スイッチ１２の第１の可動接片１２Ａを通じて左チャンネル用スピーカ７Ｌに接続する経路が確保され、かつ右チャンネル用ＤＡコンバータ９Ｒの出力を右チャンネル用増幅器１１Ｒ及び切換スイッチ１２の第２の可動接片１２Ｂを通じて右チャンネル用スピーカ７Ｒに接続する経路が確保される。
【００２５】
したがって、図２に示すように、表示部１５と操作部１６とが一体に折り畳み可能に構成されるとともに独立して駆動可能な左右チャンネル用スピーカ７Ｌ、７Ｒを備える折り畳み式携帯電話１０において、表示部１５の画像に同期して左チャンネル用スピーカ７Ｌから左チャンネルの音が出力されるとともに、右チャンネル用スピーカ７Ｒから右チャンネルの音が出力されるようなステレオ音が得られるので、自然な聴感が得られる。
【００２６】
（２）閉状態の場合
開閉検出スイッチ６が閉状態を検出すると、これに基づいて切換制御部８は切換スイッチ１２の第１の可動接片１２Ａを右チャンネル用増幅器１１Ｒに接続するとともに、第２の可動接片１２Ｂを左チャンネル用増幅器１１Ｌに接続するような切換動作が行われるように制御する。この結果、左チャンネル用ＤＡコンバータ９Ｌの出力を左チャンネル用増幅器１１Ｌ及び切換スイッチ１２の第２の可動接片１２Ｂを通じて右チャンネル用スピーカ７Ｒに接続する経路が確保され、かつ右チャンネル用ＤＡコンバータ９Ｒの出力を右チャンネル用増幅器１１Ｒ及び切換スイッチ１２の第１の可動接片１２Ａを通じて左チャンネル用スピーカ７Ｌに接続する経路が確保される。
【００２７】
したがって、図３に示すように、折り畳み式携帯電話１０において左右チャンネル用スピーカ７Ｌ、７Ｒの位置が開状態の場合と左右逆になっても、表示部１５の画像に同期して左チャンネル用スピーカ７Ｌから右チャンネルの音が出力されるとともに、右チャンネル用スピーカ７Ｒから左チャンネルの音が出力されるようなステレオ音が得られるので、開状態と同様に自然な聴感が得られる。
【００２８】
このように、この例の折り畳み式携帯電話１０の構成によれば、開閉検出スイッチ６が閉状態を検出したときは、左チャンネル用ＤＡコンバータ９Ｌの出力を左チャンネル用増幅器１１Ｌ及び切換スイッチ１２の第２の可動接片１２Ｂを通じて右チャンネル用スピーカ７Ｒに接続する経路が確保され、かつ右チャンネル用ＤＡコンバータ９Ｒの出力を右チャンネル用増幅器１１Ｒ及び切換スイッチ１２の第１の可動接片１２Ａを通じて左チャンネル用スピーカ７Ｌに接続する経路が確保されるように切換スイッチ１２の切換動作が切換制御部８により制御されるので、開状態と閉状態では左右チャンネル用スピーカ７Ｌ、７Ｒの出力が逆に切り換えられるようになる。
したがって、表示部と操作部とが一体に折り畳み可能に構成されるとともに独立して駆動可能な左右チャンネル用スピーカを備える構成において、閉状態においても開状態における場合と同様に画像に同期したステレオ音を出力して、自然な聴感を得ることができる。
【実施例２】
【００２９】
図４は、この発明の実施例２である折り畳み式電子機器の構成を示すブロック図である。この実施例２の折り畳み式電子機器の構成が、上述の実施例１のそれと大きく異なるところは、切換スイッチと左右チャンネル用増幅器との接続位置を入れ替えるようにした点である。この例でも電子機器としては携帯電話に例をとって説明する。
この例の折り畳み式携帯電話２０は、図４に示すように、切換スイッチ１２が左右チャンネル用増幅器１１Ｌ、１１Ｒの前段に接続されている。すなわち、切換スイッチ１２は左右チャンネル用ＤＡコンバータ９Ｌ、９Ｒの出力を、それぞれ左右チャンネル用増幅器１１Ｌ、１１Ｒを通じて左チャンネル用スピーカ７Ｌあるいは右チャンネル用スピーカ７Ｒに接続するように切換制御部８により制御される。
これ以外は、上述した実施例１と略同様である。それゆえ、図４において、図１の構成部分と対応する各部には、同一の番号を付してその説明を省略する。
【００３０】
このように、この例の構成によっても、実施例１と略同様な効果を得ることができる。
【実施例３】
【００３１】
図５は、この発明の実施例３である折り畳み式電子機器の構成を示すブロック図である。この実施例３の折り畳み式電子機器の構成が、上述の実施例１のそれと大きく異なるところは、左右チャンネル用増幅器をＢＴＬ駆動増幅器により構成するようにした点である。
この例の折り畳み式携帯電話３０は、図５に示すように、左チャンネル用ＤＡコンバータ９Ｌの出力を増幅し第１及び第２の増幅器１７Ａ、１７Ｂから構成される左チャンネル用ＢＴＬ駆動増幅器１８Ｌと、右チャンネル用ＤＡコンバータ９Ｒの出力を増幅し第１及び第２の増幅器１９Ａ、１９Ｂから構成される右チャンネル用ＢＴＬ駆動増幅器１８Ｒとを備えている。左チャンネル用ＢＴＬ駆動増幅器１８Ｌの例えば第２の増幅器１７Ｂに、及び右チャンネル用ＢＴＬ駆動増幅器１８Ｒの例えば第２の増幅器１９Ｂにはそれぞれ位相反転回路２２Ｌ、２２Ｒが接続されている。
【００３２】
ここで、切換制御部８により制御される切換スイッチ２３は、左チャンネル用スピーカ７Ｌに常時接続された第１の可動接片２３Ａ及び第２の可動接片２３Ｂと、右チャンネル用スピーカ７Ｒに常時接続された第３の可動接片２３Ｃ及び第４の可動接片２３Ｄとを有している。第１、第３の可動接片２３Ａ、２３Ｃはいずれも、左右チャンネル用ＢＴＬ駆動増幅器１８Ｌ、１８Ｒの各第１の増幅器１７Ａ、１９Ａのいずれか一方を選択するように切り換えられ、また、第２、第４の可動接片２３Ｂ、２３Ｄは、左右チャンネル用ＢＴＬ駆動増幅器１８Ｌ、１８Ｒの各第２の増幅器１７Ｂ、１９Ｂのいずれか一方を選択するように切り換えられる。
【００３３】
ＢＴＬ駆動増幅器は、その駆動方式により負荷に供給される電圧は２倍になるので、４倍の出力電力を供給できるという特長を備えているため、低い電源電圧で大出力を得ることができる。
【００３４】
次に、この例の折り畳み式携帯電話３０の動作について説明する。
（１）開状態の場合
開閉検出スイッチ６が開状態を検出すると、これに基づいて切換制御部８は切換スイッチ２３の第１、第２の可動接片２３Ａ、２３Ｂをそれぞれ左チャンネル用ＢＴＬ駆動増幅器１８Ｌの第１、第２の増幅器１７Ａ、１７Ｂに接続するとともに、第３、第４の可動接片２３Ｃ、２３Ｄをそれぞれ右チャンネル用ＢＴＬ駆動増幅器１８Ｒの第１、第２の増幅器１９Ａ、１９Ｂに接続するような切換動作が行われるように制御する。この結果、左チャンネル用ＤＡコンバータ９Ｌの出力を左チャンネル用ＢＴＬ駆動増幅器１８Ｌ及び切換スイッチ２３の第１、第２の可動接片２３Ａ、２３Ｂを通じて左チャンネル用スピーカ７Ｌに接続する経路が確保され、かつ右チャンネル用ＤＡコンバータ９Ｒの出力を右チャンネル用ＢＴＬ駆動増幅器１８Ｒ及び切換スイッチ２３の第３、第４の可動接片２３Ｃ、２３Ｄを通じて右チャンネル用スピーカ７Ｒに接続する経路が確保される。
【００３５】
したがって、実施例１で図２に示したように、表示部１５の画像に同期して左チャンネル用スピーカ７Ｌから左チャンネルの音が出力されるとともに、右チャンネル用スピーカ７Ｒから右チャンネルの音が出力されるようなステレオ音が得られるので、自然な聴感が得られる。
【００３６】
（２）閉状態の場合
開閉検出スイッチ６が閉状態を検出すると、これに基づいて切換制御部８は切換スイッチ２３の第１、第２の可動接片２３Ａ、２３Ｂをそれぞれ右チャンネル用ＢＴＬ駆動増幅器１８Ｒの第１、第２の増幅器１９Ａ、１９Ｂに接続するとともに、第３、第４の可動接片２３Ｃ、２３Ｄをそれぞれ左チャンネル用ＢＴＬ駆動増幅器１８Ｌの第１、第２の増幅器１７Ａ、１７Ｂに接続するような切換動作が行われるように制御する。この結果、左チャンネル用ＤＡコンバータ９Ｌの出力を左チャンネル用ＢＴＬ駆動増幅器１８Ｌ及び切換スイッチ２３の第３、第４の可動接片２３Ｃ、２３Ｄを通じて右チャンネル用スピーカ７Ｒに接続する経路が確保され、かつ右チャンネル用ＤＡコンバータ９Ｒの出力を右チャンネル用ＢＴＬ駆動増幅器１８Ｒ及び切換スイッチ２３の第１、第２の可動接片２３Ａ、２３Ｂを通じて左チャンネル用スピーカ７Ｌに接続する経路が確保される。
【００３７】
したがって、実施例１の図３に示したように、左右チャンネル用スピーカ７Ｌ、７Ｒの位置が開状態の場合と左右逆になっても、表示部１５の画像に同期して左チャンネル用スピーカ７Ｌから右チャンネルの音が出力されるとともに、右チャンネル用スピーカ７Ｒから左チャンネルの音が出力されるようなステレオ音が得られるので、開状態と同様に自然な聴感が得られる。
これ以外は、上述した実施例１と略同様である。それゆえ、図５において、図１の構成部分と対応する各部には、同一の番号を付してその説明を省略する。
【００３８】
このように、この例の構成によっても、実施例１と略同様な効果を得ることができる。
加えて、この例の構成によれば、ＢＴＬ駆動増幅器を用いているので、低い電源電圧で大出力を得ることができる。
【実施例４】
【００３９】
図６は、この発明の実施例４である折り畳み式電子機器の構成を示すブロック図である。この実施例４の折り畳み式電子機器の構成が、上述の実施例３のそれと大きく異なるところは、切換スイッチと左右チャンネル用増幅器との接続位置を入れ替えるようにした点である。
この例の折り畳み式携帯電話４０は、図６に示すように、切換スイッチ１２が左右チャンネル用ＢＴＬ駆動増幅器１８Ｌ、１８Ｒの前段に接続されている。すなわち、切換スイッチ１２は左右チャンネル用ＤＡコンバータ９Ｌ、９Ｒの出力を、それぞれ左右チャンネル用ＢＴＬ駆動増幅器１８Ｌ、１８Ｒを通じて左チャンネル用スピーカ７Ｌあるいは右チャンネル用スピーカ７Ｒに接続するように切換制御部８により制御される。
これ以外は、上述した実施例３と略同様である。それゆえ、図６において、図５の構成部分と対応する各部には、同一の番号を付してその説明を省略する。
【００４０】
このように、この例の構成によっても、実施例３と略同様な効果を得ることができる。
【００４１】
以上、この発明の実施例を図面により詳述してきたが、具体的な構成はこの実施例に限られるものではなく、この発明の要旨を逸脱しない範囲の設計の変更などがあってもこの発明に含まれる。例えば、実施例では携帯電話に適用した例で説明したが、携帯電話に限らずに、ＰＤＡ（Personal Digital Assistants:個人向け携帯型情報通信機器）、携帯用ＧＰＳ(Global Positioning System)等の携帯用の電子機器一般に適用することができる。
【図面の簡単な説明】
【００４２】
【図１】この発明の実施例１である折り畳み式電子機器の構成を示すブロック図である。
【図２】同折り畳み式電子機器の開状態での形態を示す図である。
【図３】同折り畳み式電子機器の閉状態での形態を示す図である。
【図４】この発明の実施例２である折り畳み式電子機器の構成を示すブロック図である。
【図５】この発明の実施例３である折り畳み式電子機器の構成を示すブロック図である。
【図６】この発明の実施例４である折り畳み式電子機器の構成を示すブロック図である。
【図７】従来の折り畳み式電子機器の構成を示すブロック図である。
【図８】同折り畳み式電子機器の構成を示すブロック図である。
【図９】同折り畳み式電子機器の構成を示すブロック図である。
【符号の説明】
【００４３】
１    送受信用アンテナ
２    無線送受信部
３    制御部
４    音源データ
５    メモリ部
６    開閉検出スイッチ
７Ｌ    左（Ｌ）チャンネル用スピーカ
７Ｒ    右（Ｒ）チャンネル用スピーカ
８    切換制御部
９Ｌ    左チャンネル用ＤＡコンバータ
９Ｒ    右チャンネル用ＤＡコンバータ
１０、２０、３０、４０    折り畳み式携帯電話（電子機器）
１１Ｌ    左チャンネル用増幅器
１１Ｒ    右チャンネル用増幅器
１２、２３    切換スイッチ
１２Ａ、１２Ｂ、２３Ａ〜２３Ｄ    可動接片
１３    プルアップ抵抗
１４Ｌ    左チャンネル用コンデンサ
１４Ｒ    右チャンネル用コンデンサ
１５    表示部
１６    操作部
１７Ａ、１７Ｂ、１９Ａ、１９Ｂ    増幅器
１８Ｌ    左チャンネル用ＢＴＬ駆動増幅器
１８Ｒ    右チャンネル用ＢＴＬ駆動増幅器
２２Ｌ、２２Ｒ    位相反転回路
２３Ａ〜２３Ｄ    可動接片
【図１】
2005236811.tif 000003
【図２】
2005236811.tif 000004
【図３】
2005236811.tif 000005
【図４】
2005236811.tif 000006
【図５】
2005236811.tif 000007
【図６】
2005236811.tif 000008
【図７】
2005236811.tif 000009
【図８】
2005236811.tif 000010
【図９】
2005236811.tif 000011